【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
方法であって、画像ユニットの輝度チャネルを表す輝度ユニットを分割することによってルマコーディングツリーを取得すること、及び前記画像ユニットの少なくとも１つのクロミナンスチャネルを表すクロミナンスユニットを分割することによってクロマコーディングツリーを取得することを含む方法において、前記クロマコーディングツリーを取得することが、
前記クロマコーディングツリーと前記ルマコーディングツリーとが同一かどうかを判定すること、及び
前記クロマコーディングツリーと前記ルマコーディングツリーとが同一かどうかを示す情報データをシグナリングすること
を含む方法。
【請求項２】
方法であって、画像ユニットの輝度チャネルを表す輝度ユニットを分割することによってルマコーディングツリーを取得すること、及び前記画像ユニットの少なくとも１つのクロミナンスチャネルを表すクロミナンスユニットを分割することによってクロマコーディングツリーを取得することを含む方法において、前記クロマコーディングツリーを取得することが、
前記クロマコーディングツリーと前記ルマコーディングツリーとが同一かどうかを判定すること、及び
前記クロマコーディングツリーと前記ルマコーディングツリーとが同一かどうかを示す情報データをシグナリングすること
を含む方法。
【請求項３】
装置であって、画像ユニットの輝度チャネルを表す輝度ユニットを分割することによってルマコーディングツリーを取得し、
前記画像ユニットの少なくとも１つのクロミナンスチャネルを表すクロミナンスユニットを分割することによってクロマコーディングツリーを取得するように構成されたプロセッサを含む装置において、前記クロマコーディングツリーを取得することが、
前記クロマコーディングツリーと前記ルマコーディングツリーとが同一かどうかを判定し、
前記クロマコーディングツリーと前記ルマコーディングツリーとが同一かどうかを示す情報データをシグナリングする
ことを含む装置。
【請求項４】
装置であって、画像ユニットの輝度チャネルを表す輝度ユニットを分割することによってルマコーディングツリーを取得し、
前記画像ユニットの少なくとも１つのクロミナンスチャネルを表すクロミナンスユニットを分割することによってクロマコーディングツリーを取得するように構成されたプロセッサを含む装置において、前記クロマコーディングツリーを取得することが、
前記クロマコーディングツリーと前記ルマコーディングツリーとが同一かどうかを判定し、
前記クロマコーディングツリーと前記ルマコーディングツリーとが同一かどうかを示す情報データをシグナリングする
ことを含む装置。
【請求項５】
前記情報データは、前記クロマコーディングツリーと前記ルマコーディングツリーとが同一である場合は第１の値に等しいフラグであり、さもなければ第２の値に等しいフラグである、請求項１〜２のいずれか一項に記載の方法又は請求項３〜４のいずれか一項に記載の装置。
【請求項６】
前記情報データが前記第２の値に等しい場合、前記情報データは前記クロミナンスユニットが分割されないことを更に示す、請求項５に記載の方法又は装置。
【請求項７】
前記クロマコーディングツリーと前記ルマコーディングツリーとが同一ではないと判定され、前記クロマコーディングツリーの少なくとも１つのリーフのサイズが最大サイズよりも大きい場合、前記クロマコーディングツリーの前記リーフの前記サイズが前記最大サイズに到達するまで前記少なくとも１つのリーフが再帰的に分割される、請求項１〜２若しくは５〜６のいずれか一項に記載の方法又は請求項３〜６のいずれか一項に記載の装置。
【請求項８】
請求項１〜２若しくは５〜７のいずれか一項に記載の方法又は請求項３〜７のいずれか一項に記載の装置であって、前記クロマコーディングツリーと前記ルマコーディングツリーとが所与の分解レベルまで同一であり、更に高い分解レベルでは前記方法が前記クロマコーディングツリーＣＨＲＯＱのリーフの前記分割を停止する、方法又は装置。
【請求項９】
前記クロマコーディングツリーの少なくとも１つの分解レベルが分割される場合、前記情報データは、前記少なくとも１つの分解レベルについてシグナリングされ、前記情報データは、前記クロマコーディングツリーの前記少なくとも１つの分解レベルが前記ルマコーディングツリーの同じレベルの前記分割に従うかどうかを示す、請求項１〜２若しくは５〜８のいずれか一項に記載の方法又は請求項３〜８のいずれか一項に記載の装置。
【請求項１０】
少なくとも１つの画像ユニットを含む画像を符号化する方法において、前記少なくとも１つの画像ユニットが請求項１又は５〜９のいずれか一項に記載の方法に従ってコード化される、方法。
【請求項１１】
少なくとも１つの画像ユニットを含む画像を復号する方法において、前記少なくとも１つの画像ユニットが請求項２又は５〜９のいずれか一項に記載の方法に従って復号される、方法。
【請求項１２】
コンピュータによりプログラムが実行されるとき、請求項１〜２又は５〜９のいずれか一項に記載の方法のステップを前記コンピュータに実行させる命令を含む、コンピュータプログラム製品。
【手続補正２】
【補正対象書類名】明細書
【補正対象項目名】００２０
【補正方法】変更
【補正の内容】
【００２０】
本原理は、方法で従来技術の欠点の少なくとも１つを是正しようとする。この方法は、前述の画像ユニットの輝度チャネルを表す輝度ユニットを分割することによってルマコーディングツリーを取得すること、及び前述の画像ユニットの少なくとも１つのクロミナンスチャネルを表すクロミナンスユニットを分割することによってクロマコーディングツリーを取得することを含む。本原理によれば、前述のクロマコーディングツリーを取得することが、
−前述のクロマコーディングツリーと前述のルマコーディングツリーとが同一かどうかを判定すること、及び
−前述のクロマコーディングツリーと前述のルマコーディングツリーとが同一かどうかを示す情報データをシグナリングすること
を含む。
【手続補正３】
【補正対象書類名】明細書
【補正対象項目名】００２１
【補正方法】変更
【補正の内容】
【００２１】
それらの態様の別のものによれば、本原理は復号する方法に関する。この方法は、前述の画像ユニットの輝度チャネルを表す輝度ユニットを分割することによってルマコーディングツリーを取得すること、及び前述の画像ユニットの少なくとも１つのクロミナンスチャネルを表すクロミナンスユニットを分割することによってクロマコーディングツリーを取得することを含む。本原理によれば、前述のクロマコーディングツリーを取得することが、
−前述のクロマコーディングツリーと前述のルマコーディングツリーとが同一かどうかを判定すること、及び
−前述のクロマコーディングツリーと前述のルマコーディングツリーとが同一かどうかを示す情報データをシグナリングすること
を含む。
【手続補正４】
【補正対象書類名】明細書
【補正対象項目名】００２２
【補正方法】変更
【補正の内容】
【００２２】
それらの態様の他のものによれば、本原理は上記の方法を実装するように構成されているプロセッサを含む装置、及びコンピュータプログラムに関する。
【手続補正５】
【補正対象書類名】明細書
【補正対象項目名】００８８
【補正方法】変更
【補正の内容】
【００８８】
幾つかの実装形態を記載してきた。それでもなお、様々な修正が加えられ得ることが理解されよう。例えば、他の実装形態を作り出すために別の実装形態の要素が組み合わせられ、補われ、修正され、又は除去され得る。加えて、開示した構造及びプロセスを他の構造及びプロセスが置換しても良く、その結果生じる実装形態が開示した実装形態と少なくともほぼ同じ結果を実現するために、少なくともほぼ同じ機能を少なくともほぼ同じやり方で実行することを当業者なら理解されよう。従って、これらの及び他の実装形態も本願によって予期される。
上記実施形態の一部又は全部は、以下の付記のようにも記載されうるが、以下には限られない。
（付記１）
輝度チャネル及び少なくとも１つのクロミナンスチャネルによって表される画像データを含む画像ユニットを符号化する方法であって、前記画像ユニットの前記輝度チャネルを表す輝度ユニットを分割することによってルマコーディングツリーを取得すること、及び前記画像ユニットの少なくとも１つのクロミナンスチャネルを表すクロミナンスユニットを分割することによってクロマコーディングツリーを取得することを含む方法において、前記クロマコーディングツリーを取得することが、
前記クロマコーディングツリーと前記ルマコーディングツリーとが同一かどうかを判定すること、及び
前記クロマコーディングツリーと前記ルマコーディングツリーとが同一かどうかを示す情報データをシグナリングすること
を含むことを特徴とする方法。
（付記２）
輝度チャネル及び少なくとも１つのクロミナンスチャネルによって表される画像データを含む画像ユニットを復号する方法であって、前記画像ユニットの前記輝度チャネルを表す輝度ユニットを分割することによってルマコーディングツリーを取得すること、及び前記画像ユニットの少なくとも１つのクロミナンスチャネルを表すクロミナンスユニットを分割することによってクロマコーディングツリーを取得することを含む方法において、前記クロマコーディングツリーを取得することが、
前記クロマコーディングツリーと前記ルマコーディングツリーとが同一かどうかを判定すること、及び
前記クロマコーディングツリーと前記ルマコーディングツリーとが同一かどうかを示す情報データをシグナリングすること
を含むことを特徴とする方法。
（付記３）
輝度チャネル及び少なくとも１つのクロミナンスチャネルによって表される画像データを含む画像ユニットを符号化する装置であって、前記画像ユニットの前記輝度チャネルを表す輝度ユニットを分割することによってルマコーディングツリーを取得する手段と、前記画像ユニットの少なくとも１つのクロミナンスチャネルを表すクロミナンスユニットを分割することによってクロマコーディングツリーを取得する手段とを含む装置において、前記クロマコーディングツリーを取得する前記手段が、
前記クロマコーディングツリーと前記ルマコーディングツリーとが同一かどうかを判定し、
前記クロマコーディングツリーと前記ルマコーディングツリーとが同一かどうかを示す情報データをシグナリングする
ように更に構成されていることを特徴とする装置。
（付記４）
輝度チャネル及び少なくとも１つのクロミナンスチャネルによって表される画像データを含む画像ユニットを復号する装置であって、前記画像ユニットの前記輝度チャネルを表す輝度ユニットを分割することによってルマコーディングツリーを取得する手段と、前記画像ユニットの少なくとも１つのクロミナンスチャネルを表すクロミナンスユニットを分割することによってクロマコーディングツリーを取得する手段とを含む装置において、前記クロマコーディングツリーを取得する前記手段が、
前記クロマコーディングツリーと前記ルマコーディングツリーとが同一かどうかを判定し、
前記クロマコーディングツリーと前記ルマコーディングツリーとが同一かどうかを示す情報データをシグナリングする
ように更に構成されていることを特徴とする装置。
（付記５）
前記情報データは、前記クロマコーディングツリーと前記ルマコーディングツリーとが同一である場合は第１の値に等しいフラグであり、さもなければ第２の値に等しいフラグである、付記１〜２のいずれか一に記載の方法又は付記３〜４のいずれか一に記載の装置。
（付記６）
前記情報データが前記第２の値に等しい場合、前記情報データは前記クロミナンスユニットが分割されないことを更に示す、付記５に記載の方法又は装置。
（付記７）
前記クロマコーディングツリーと前記ルマコーディングツリーとが同一ではないと判定され、前記クロマコーディングツリーの少なくとも１つのリーフのサイズが最大サイズよりも大きい場合、前記クロマコーディングツリーの前記リーフの前記サイズが前記最大サイズに到達するまで前記少なくとも１つのリーフが再帰的に分割される、付記１〜２若しくは５〜６のいずれか一に記載の方法又は付記３〜６のいずれか一に記載の装置。
（付記８）
付記１〜２若しくは５〜７のいずれか一に記載の方法又は付記３〜７のいずれか一に記載の装置であって、前記クロマコーディングツリーと前記ルマコーディングツリーとが所与の分解レベルまで同一であり、更に高い分解レベルでは前記方法が前記クロマコーディングツリーＣＨＲＯＱのリーフの前記分割を停止する、方法又は装置。
（付記９）
前記クロマコーディングツリーの少なくとも１つの分解レベルが分割される場合、前記情報データは、前記少なくとも１つの分解レベルについてシグナリングされ、前記情報データは、前記クロマコーディングツリーの前記少なくとも１つの分解レベルが前記ルマコーディングツリーの同じレベルの前記分割に従うかどうかを示す、付記１〜２若しくは５〜８のいずれか一に記載の方法又は付記３〜８のいずれか一に記載の装置。
（付記１０）
少なくとも１つの画像ユニットを含む画像を符号化する方法において、前記少なくとも１つの画像ユニットが付記１又は５〜９のいずれか一に記載の方法に従ってコード化されることを特徴とする方法。
（付記１１）
少なくとも１つの画像ユニットを含む画像を復号する方法において、前記少なくとも１つの画像ユニットが付記２又は５〜９のいずれか一に記載の方法に従って復号されることを特徴とする方法。
（付記１２）
輝度チャネル及び少なくとも１つのクロミナンスチャネルによって表されるピクチャデータを含む画像ユニットに関係するシンタックス要素を有する信号（Ｓ）であって、前記シンタックス要素は前記画像ユニットの前記輝度チャネルを表す輝度ユニットを分割することによって取得されるルマコーディングツリーと、前記画像ユニットの少なくとも１つのクロミナンスチャネルを表すクロミナンスユニットを分割することによって取得されるクロマコーディングツリーとを定める信号（Ｓ）において、前記信号は前記クロマコーディングツリーと前記ルマコーディングツリーとが同一かどうかを示す情報データを含むようにフォーマットされ、前記情報データは前記クロマコーディングツリーと前記ルマコーディングツリーとが同一ではない場合、前記クロミナンスユニットが分割されないことを更に示すことを特徴とする信号。
（付記１３）
前記情報データは、前記クロマコーディングツリーの前記少なくとも１つの分解レベルが前記ルマコーディングツリーの同じレベルの前記分割に従うかどうかを更に示す、付記１２に記載の信号。
（付記１４）
コンピュータ上で実行されるとき、付記１〜２又は５〜９のいずれか一に記載の方法のステップを実行するためのプログラムコード命令を含む、コンピュータプログラム製品。
（付記１５）
コンピューティングデバイス上で実行されるとき、付記１〜２又は５〜９のいずれか一に記載の方法のステップを実行するためのプログラムコード命令を運ぶ、非一時的記憶媒体。